(57)【特許請求の範囲】
【請求項１】
細長い１枚の導電性板を短手方向に天板部、側板部、底板部及び側板部の順に折り込み、前記天板部と側板部との両端縁部を互いに結合して角筒状に形成したシールドケースに、角形のコネクタ本体を嵌合してなるコネクタ用シールドケースにおいて、前記シールドケースにおけるコネクタ本体の挿入位置の角隅部であって、シールドケースにおける天板部と側板部との結合部に、このコネクタ本体の逆差し込み防止溝と係合する逆差し込み防止片を一体に内側に折曲して形成し、この逆差し込み防止片を越えない範囲内で突出するように、前記天板部の端縁部の内側に、側板部の端縁部を延設した重ね合わせ代部を重ね合わせ、かつ、前記天板部の端縁部に形成した結合爪を前記重ね合わせ代部に形成した結合孔に差し込み、この結合爪を前記逆差し込み防止片の幅の範囲内でつぶして固定するようにしたことを特徴とするコネクタ用シールドケース。
【請求項２】
シールドケースにおける両側板部には、コネクタ本体の係止凹部に係止するための係止爪を内側にやや食い込んだ状態で切起こし形成したことを特徴とする請求項１記載のコネクタ用シールドケース。
【発明の詳細な説明】
【０００１】
【発明の属する技術分野】
本発明は、携帯電話におけるコネクタのように、極めて小さく、かつ、細密な構造を有するコネクタ本体を被覆するためのコネクタ用シールドケースに関するものである。
【０００２】
【従来の技術】
例えば、図６に示すような携帯電話におけるコネクタ本体１０は、幅１３ｍｍ、厚さ２ｍｍ、奥行き６ｍｍ程度の極めて小さなものであり、このコネクタ本体１０へのノイズ混入防止や構造上の保護のために角筒状のシールドケース１１が嵌合される。
さらに詳しくは、シールドケース１１は、細長い導電性の金属板を折曲して角筒状に形成するが、接合端面１７は、図示のようにプレス抜き加工により結合爪１４と結合切欠き１５を設けて結合するものとか、単に接合端面１７を直線状に突き合わせたものなどがある。
【０００３】
このようにして形成されたシールドケース１１に、その一端の開口部分からコネクタ本体１０を嵌合すると、コネクタ本体１０の係止凹部１３にシールドケース１１の係止爪１６が係止して一体に連結される。電極１２は、コネクタ本体１０の両側に複数本が突出して設けられている。
【０００４】
【発明が解決しようとする課題】
このようなコネクタ用シールドケースにおいて、シールドケース１１の接合端面１７の部分が単に直線状に突き合わせたものは、接合端面１７の部分に隙間が生じたり、接合端面１７の部分が何かに接触してこじあけられたり、接合端面１７の部分が浮き上がって段差が生じたりすることがあった。
また、結合爪１４と結合切欠き１５を嵌合して結合する場合であっても、接触面が接合端面１７の板厚で支持されているだけであるため、依然として接合端面１７の左右の平坦な板部分に段差が生じたり、外れたりすることがあった。
【０００５】
このため、シールドケース１１にコネクタ本体１０を嵌合しようとしても円滑に差し込めないことがあったり、また、コネクタ本体１０にシールドケース１１を嵌合した後で、携帯電話器本体等へ組み込むときにも、段差があると作業性が悪くなるという問題があった。
【０００６】
本発明は、１枚の導電板を筒型に折り込んで両端部を互いに連結してなるシールドケースにおいて、この連結部分が確実で、しかもコネクタ本体の挿入時に連結部分の突起が邪魔をしないようなものを得ることを目的とする。
【０００７】
【課題を解決するための手段】
本発明は、細長い１枚の導電性板を短手方向に天板部、側板部、底板部及び側板部の順に折り込み、前記天板部と側板部との両端縁部を互いに結合して角筒状に形成したシールドケースに、角形のコネクタ本体を嵌合してなるコネクタ用シールドケースにおいて、前記シールドケースにおけるコネクタ本体の挿入位置の角隅部であって、シールドケースにおける天板部と側板部との結合部に、このコネクタ本体の逆差し込み防止溝と係合する逆差し込み防止片を一体に内側に折曲して形成し、この逆差し込み防止片を越えない範囲内で突出するように、前記天板部の端縁部の内側に、側板部の端縁部を延設した重ね合わせ代部を重ね合わせ、かつ、前記天板部の端縁部に形成した結合爪を前記重ね合わせ代部に形成した結合孔に差し込み、この結合爪を前記逆差し込み防止片の幅の範囲内でつぶして固定するようにしたことを特徴とするコネクタ用シールドケースである。
【０００８】
このようにして構成されたシールドケース２１に、コネクタ本体２０を背面側から挿入する。コネクタ本体２０が上下逆向きに差し込まれた場合には、逆差し込み防止溝３６と逆差し込み防止片３２が一致しないため、差し込まれることがない。逆差し込み防止溝３６と逆差し込み防止片３２が一致すると、コネクタ本体２０が差し込まれるとともに、重ね合わせ代部３３と結合爪２４の突出部分も逆差し込み防止溝３６から逃れて差し込まれる。コネクタ本体２０の係止凹部２３にシールドケース２１の係止爪２６が係止することにより、コネクタ本体２０とシールドケース２１が一体に結合する。
従って、連結部分が確実で、しかもコネクタ本体２０の挿入時に連結部分の突起が邪魔しないようなものを得ることができる。
【０００９】
【発明の実施の形態】
本発明の第１実施例を図１乃至図３に基づき説明する。
図１において、２１は、コネクタ本体２０をシールドするための本発明によるシールドケースである。
前記コネクタ本体２０は、一端部にプラグ等が接続される複数本の電極端子２２が水平に配置され、他端部にフラットケーブル端子などが接続される複数本の電極端子２２が水平に配置され、全体が合成樹脂等によってモールドされている。また、両側角部には、逆差し込み防止溝３６が切り欠かれ、さらに、両側面には、シールドケース２１と結合するための係止凹部２３が形成されている。
【００１０】
図３は、前記シールドケース２１の折り畳む前の展開図であり、細長い導電性の金属板をプレスにより打ち抜き加工したものである。この図３において、点線で示した谷折り線３４と鎖線で示した山折り線３５の位置で折り畳まれることにより、天板部２７、底板部２８及び両側の側板部２９となる。
これらの天板部２７、底板部２８及び両側板部２９には、それぞれプラグ差し込みガイド３０が形成されている。これらのプラグ差し込みガイド３０のある側を正面とすると、天板部２７の正面側の両端部には、前記コネクタ本体２０の逆差し込み防止溝３６に嵌合する逆差し込み防止片３２がそれぞれ形成され、また、天板部２７の側端面側（図３の左端部側）の近くであって前記逆差し込み防止片３２と側面に沿って並ぶように、２個の結合爪２４が切り起こされている。
【００１１】
前記側板部２９の側端面側（図３の右端部側）には、幅の狭い重ね合わせ代部３３が一体に延設され、この重ね合わせ代部３３に前記結合爪２４を差し込むための２個の結合孔２５が形成されている。
さらに、両側板部２９には、前記コネクタ本体２０の係止凹部２３に係止するための係止爪２６が内側にやや食い込んだ状態で切り起こされている。また、両側板部２９には、それぞれ基板固定片３１が一体に形成されている。
【００１２】
次にシールドケース２１の組立て順序を説明する。
天板部２７、底板部２８、側板部２９におけるそれぞれのプラグ差し込みガイド３０を山折り線３５で外側に９０度折り返し、天板部２７における逆差し込み防止片３２を内側に９０度折り返し、天板部２７の結合爪２４を内側に７０〜８０度切り起し、側板部２９の係止爪２６を内側に１０度程度切り起す。
この状態で、天板部２７、側板部２９、底板部２８、側板部２９、重ね合わせ代部３３の境界の谷折り線３４でそれぞれ９０度折り返すと、図１に示すように、全体が厚さの薄い角筒状になる。
このとき、天板部２７と底板部２８に挾まれた側板部２９の幅に対し、重ね合わせ代部３３側の側板部２９は、板厚分だけ狭くなっている。
【００１３】
谷折り線３４で順次折り込む際に、図２に示すように、底板部２８の結合爪２４を重ね合わせ代部３３の結合孔２５に差し込み、底板部２８が重ね合わせ代部３３に重なった状態で結合爪２４を重ね合わせ代部３３の内側につぶして固定する。このとき、重ね合わせ代部３３と結合爪２４の板厚分だけ内側に突出するが、逆差し込み防止片３２の幅の範囲内である。
【００１４】
このようにして組み立てられたシールドケース２１に、コネクタ本体２０を背面側から挿入する。コネクタ本体２０が上下逆向きに差し込まれた場合には、逆差し込み防止溝３６と逆差し込み防止片３２が一致しないため、差し込まれることがない。逆差し込み防止溝３６と逆差し込み防止片３２が一致すると、コネクタ本体２０が差し込まれるとともに、重ね合わせ代部３３と結合爪２４の突出部分も逆差し込み防止溝３６から逃れて差し込まれる。コネクタ本体２０の係止凹部２３にシールドケース２１の係止爪２６が係止することにより、コネクタ本体２０とシールドケース２１が一体に結合する。
【００１５】
本発明の第２実施例を図４及び図５に基づき説明する。
前記第１実施例では、コネクタ本体２０の逆差し込み防止溝３６が凹んでいるため、シールドケース２１の逆差し込み防止片３２が内側に突出するように折り曲げて形成した。
しかし、これに限られるものではなく、図４及び図５に示すように、コネクタ本体２０が、中央部３７の外側にも外周部３８を一体に設け、これらの中央部３７と外周部３８との間にシールドケース２１を挿入する挿入溝３９があり、かつ、逆差し込み防止溝３６が外周部３８側の挿入溝３９に面した側に形成されているような場合にも本発明は利用できる。
【００１６】
即ち、天板部２７、側板部２９、底板部２８、側板部２９、重ね合わせ代部３３の境界の谷折り線３４でそれぞれ９０度折り返すと、図１と同様、全体が厚さの薄い角筒状になるが、第２実施例では、天板部２７と底板部２８に挾まれた側板部２９の幅に対し、重ね合わせ代部３３側の側板部２９は、板厚分だけ広くなっており、底板部２８の外側に重ね合わせ代部３３が重なるようにする。そして、底板部２８の結合爪２４を重ね合わせ代部３３の結合孔２５に差し込み、底板部２８が重ね合わせ代部３３に重なった状態で結合爪２４を重ね合わせ代部３３の上面につぶして固定する。このとき、逆差し込み防止片３２も上側に９０度折られているので、重ね合わせ代部３３と結合爪２４の板厚分だけ外側に突出した部分は、逆差し込み防止片３２の幅の範囲内である。
【００１７】
前記実施例では、コネクタ本体２０の端面形状が略長方形をなしている場合について説明したが、これに限られるものではなく、円形、多角形その他の形状であってもよい。
【００１８】
前記実施例では、シールドケース２１を構成するのに、細幅の１枚の導電性金属板を順次折り込んで、天板部２７、底板部２８及び両側板部２９となし、一方の側板部２９に重ね合わせ代部３３を延設することにより、１端部の結合爪２４と結合孔２５のみで結合するようにした。
しかし、これに限られるものではなく、例えば、底板部２８の両側に側板部２９を一体に設けてコ字状に折曲し、この両端部にそれぞれ重ね合わせ代部３３を形成してそれぞれ結合孔２５を設け、また、天板部２７は、平らな別部材とし、天板部２７の両端部にそれぞれ結合爪２４を形成し、結合爪２４と結合孔２５による結合を両端部で行うようにしてもよい。シールドケース２１が複雑で、細幅金属板の折曲だけでは構成できないか、できても複雑過ぎるような場合に好適である。
【００１９】
【発明の効果】
本発明は、上述のように、シールドケース２１の導電性板の一方の端縁部に、他方の端縁部の一部の重ね合わせ代部３３を重ね合わせ、前記導電性板の一方の端縁部に形成した結合爪２４を他方の端縁部の重ね合わせ代部３３に形成した結合孔２５に差し込みつぶして固定するようにしたので、シールドケース２１の突合せ結合部分に隙間が生じたり、こじあけられたり、浮き上がって段差が生じたりすることがなく、常にしっかりと固定される。
【００２０】
また、シールドケース２１におけるコネクタ本体２０の挿入位置に、このコネクタ本体２０の逆差し込み防止溝３６と係合する逆差し込み防止片３２を形成し、この逆差し込み防止片３２を越えない範囲内で突出するように、導電性板の一方の端縁部に、他方の端縁部の一部の重ね合わせ代部３３を重ね合わせ、かつ、前記導電性板の一方の端縁部に形成した結合爪２４を他方の端縁部の重ね合わせ代部３３に形成した結合孔２５に差し込みつぶして固定するようにしたので、天板部２７、重ね合わせ代部３３、結合爪２４などの突出部分が邪魔になることがなく、しかも、これらの突出部分のためにコネクタ本体２０の形状を変更する必要もない。
【００２１】
シールドケース２１における逆差し込み防止片３２をシールドケース２１と一体に内側に折曲して形成し、この逆差し込み防止片３２を越えない範囲内で突出するように、天板部２７の端縁部の内側に、側板部２９の端縁部を延設した重ね合わせ代部３３を重ね合わせ、かつ、天板部２７の端縁部に形成した結合爪２４を重ね合わせ代部３３に形成した結合孔２５に差し込みつぶして固定するようにしたので、コネクタ本体２０の逆差し込み防止溝３６が凹んでいるタイプに使用することができる。
【図面の簡単な説明】
【図１】本発明によるコネクタ用シールドケースの第１実施例を示す分解斜視図である。
【図２】図１における結合部分の拡大図である。
【図３】シールドケース２１の展開図である。
【図４】本発明によるコネクタ用シールドケースの第２実施例を示す縦断正面図である。
【図５】図４の縦断側面図である。
【図６】従来のコネクタ用シールドケースの斜視図である。
【符号の説明】
１０…コネクタ本体、１１…シールドケース、１２…電極、１３…係止凹部、１４…結合爪、１５…結合切欠き、１６…係止爪、１７…接合端面、２０…コネクタ本体、２１…シールドケース、２２…電極端子、２３…係止凹部、２４…結合爪、２５…結合孔、２６…係止爪、２７…天板部、２８…底板部、２９…側板部、３０…プラグ差し込みガイド、３１…基板固定片、３２…逆差し込み防止片、３３…重ね合わせ代部、３４…谷折り線、３５…山折り線、３６…逆差し込み防止溝、３７…中央部、３８…外周部、３９…挿入溝。
【図１】
0004414064.tif 000002
【図２】
0004414064.tif 000003
【図３】
0004414064.tif 000004
【図４】
0004414064.tif 000005
【図５】
0004414064.tif 000006
【図６】
0004414064.tif 000007